(57)【要約】【課題】  洗米タンクの下方に炊飯機を配置している洗米炊飯機において、洗米タンクの下部が炊飯機から立ち上がる蒸気に晒されるのを防止し、洗米タンクの下部内周部に米が付着するのを防止する。【解決手段】  洗米タンク（１１）の下方に炊飯部（４）を配設し、洗米タンク（１１）の下側部を下側が小径の円錐状タンク（１１ｂ）に構成し、円錐状タンク（１１ｂ）の下部外周部から全外周側に延出するように遮熱板（３１）を配設し、該遮熱板（３１）の径を円錐状タンク（１１ｂ）の上下方向中間部の径よりも大径に構成する。【選択図】図４
2014226486.tif 000002
【特許請求の範囲】
【請求項１】
洗米タンク（１１）の下方に炊飯機（４）を設け、該洗米タンク（１１）の下側部を下側ほど小径の円錐状タンク（１１ｂ）に構成し、該洗米タンク（１１）の円錐状タンク（１１ｂ）の下端部から全周にわたって遮熱板（３１）を側方へ延出し該遮熱板（３１）の上側面と洗米タンク（１１）の下側外周面との間に空間部を形成し、該遮熱板（３１）の径を洗米タンク（１１）の円錐状タンク（１０ｂ）の上下方向中間部の径よりも大径に構成したことを特徴とする洗米炊飯機。
【請求項２】
請求項１の発明において、前記遮熱板（３１）の外周部を外周側ほど上り傾斜に構成し、該遮熱板（３１）の径を前記洗米タンク（１１）の円錐状タンク（１１ｂ）上部の径と略同等に構成したことを特徴とする洗米炊飯機。
【請求項３】
請求項１又は請求項２の発明において、前記洗米タンク（１１）の円錐状タンク（１１ｂ）の下側端部に下給水管（１６）又は下空気供給管（１７）を取り付けるジャケット部（１５）を設け、該ジャケット部（１５）に前記遮熱板（３１）を取り付けることを特徴とする洗米炊飯機。
【発明の詳細な説明】
【技術分野】
【０００１】
この発明は、洗米炊飯機に関するものである。
【背景技術】
【０００２】
洗米炊飯機において、貯米部，洗米タンク，炊飯機を上側から下側に順次配設し、洗米タンクの下部外周に受け皿を備え、炊飯機から上がる蒸気により洗米タンクの外周面に生じた結露水を受け皿により受け、結露水が炊飯機に滴下するのを防止したものは、公知である（特許文献１）。
【先行技術文献】
【特許文献】
【０００３】
【特許文献１】特開平１１−２８１５６号公報
【発明の概要】
【発明が解決しようとする課題】
【０００４】
前記先行技術の発明では、洗米タンクに対する結露水受け用の受け皿の外周側への突出長さが短く、受け皿の下面に沿って外周側へ流れた炊飯機からの蒸気は上側に流れ、更に、洗米タンクの下部周面に沿って上側に流れるため洗米タンクの下部が熱を帯び、洗米タンクの下部内周面に洗米した米が付着しやすくなり、洗米タンク内に米が残留し易くなるという問題点が発生する。そこで、本発明はこのような問題点を解消しようとするものである。
【課題を解決するための手段】
【０００５】
請求項１の発明は、洗米タンク（１１）の下方に炊飯機（４）を設け、該洗米タンク（１１）の下側部を下側ほど小径の円錐状タンク（１１ｂ）に構成し、該洗米タンク（１１）の円錐状タンク（１１ｂ）の下端部から全周にわたって遮熱板（３１）を側方へ延出し該遮熱板（３１）の上側面と洗米タンク（１１）の下側外周面との間に空間部を形成し、該遮熱板（３１）の径を洗米タンク（１１）の円錐状タンク（１０ｂ）の上下方向中間部の径よりも大径に構成したことを特徴とする。
【０００６】
請求項２の発明は、請求項１の発明において、前記遮熱板（３１）の外周部を外周側ほど上り傾斜に構成し、該遮熱板（３１）の径を前記洗米タンク（１１）の円錐状タンク（１１ｂ）上部の径と略同等に構成したことを特徴とする。
【０００７】
請求項３の発明は、請求項１又は請求項２の発明において、前記洗米タンク（１１）の円錐状タンク（１１ｂ）の下側端部に下給水管（１６）又は下空気供給管（１７）を取り付けるジャケット部（１５）を設け、該ジャケット部（１５）に前記遮熱板（３１）を取り付けることを特徴とする。
【発明の効果】
【０００８】
請求項１の発明によると、洗米タンク（１１）の円錐状タンク（１１ｂ）下部が炊飯機（４）から立ち上がる蒸気に晒されるのを防止し、洗米タンク（１１）の円錐状タンク（１１ｂ）の下部内周部に米が付着するのを防止することができる。
【０００９】
請求項２の発明によると、請求項１の発明の前記効果に加えて、遮熱板（３１）の大きさを作業者の邪魔になるのを防止する大きさとしながら炊飯機（４）から立ち上がる蒸気を洗米タンク（１１）の下部周面から離れる外周側に案内し洗米タンク（１１）の温度上昇を防止することができる。
【００１０】
請求項３の発明によると、請求項１又は請求項２の前記効果に加えて、遮熱板（３１）の取り付け作業を容易にしながら洗米タンク（１１）の円錐状タンク（１１ｂ）が炊飯機（４）から立ち上がる蒸気に晒されるのを防止することができる。
【図面の簡単な説明】
【００１１】
【図１】洗米炊飯機の正面図。
【図２】洗米炊飯機の側面図。
【図３】洗米炊飯機の炊飯機４を引き出した状態の平面図。
【図４】洗米タンク，炊飯機の切断正面図。
【図５】洗米タンクの側面図。
【図６】フィルタを示す斜視図及び取り付け状態を示す図
【発明を実施するための形態】
【００１２】
以下、図面に示すこの発明の実施例について説明する。
まず、図１乃至図３に基づき本実施例を備えた洗米炊飯機の全体構成について説明する。
【００１３】
洗米炊飯機１は、内部に計量手段を備えている上側の貯米部２と、この貯米部２から所定量の米を受けて洗米および水加減調節をする洗米部３と、この洗米部３によって水加減された洗米を受ける下側の炊飯機４と、これらを支架する架台５により構成されていて、架台５の引出５ａにより炊飯機４を引き出し自在に支持している。
【００１４】
そして、貯米部２の正面に操作パネル７を備え、操作パネル７にはコントローラに接続されている表示画面と操作用のスイッチを設け、スイッチ操作により貯米部２から指示に応じた分量の米を洗米部３に供給し、次いで洗米部３で洗米した米を水加減し炊飯機４に投下する自動処理がなされる構成である。
【００１５】
貯米部２には白米を貯溜するホッパを備え、ホッパの流下口には横軸回りに回転する供給円筒を備え、モータにより供給円筒を回転駆動し白米を下方の洗米部３に供給するようにしている。
【００１６】
洗米部３には洗米タンク１１を備え、洗米タンク１１を上部の円筒状タンク１１ａと下部の円錐状タンク円錐状タンク１１ｂとで構成し、洗米タンク１１内には投下軸２１回りに回転する拡散羽根５０を設け、洗米モータにより拡散羽根５０を回転し洗米するようにしている。洗米タンク１１の下端部には排米通路５１を開閉する投下弁２２を備え、洗米タンク１１の下端部には着脱自在のジャケット１５で被覆している。
【００１７】
また、給水管１６の上手側を給水源（図示省略）に接続し、給水管１６の下手側を洗米タンク１１の上部，下部に接続し給水するように構成している。
また、投下軸２１を上下動自在に挿通支持し、投下モータ５２により投下軸２１を上下動することで、投下弁２２が排米通路５２を開閉し、洗米タンク１１内の米および水を炊飯機４に投下供給可能に構成している。
【００１８】
ジャケット１５の側壁に排水口（図示省略）を設け、排水時には排水管５４から排水するようにしている。
炊飯機４はガスコンロの加熱手段，外釜，内釜，炊飯蓋などで構成されていて、炊飯蓋の中央部に開口している円形の米投入孔を開閉するシャッタ５５を備えている。このシャッタ５５はシャッタ正逆モータ（図示せず）により横方向に往復移動するシャッタ開閉アーム５６の作動に関連して移動し米投入孔５７を開閉するように構成している。
【００１９】
貯米部２の箱型のケース前側面に操作パネル７を着脱自在に設けている。操作パネル７にはマニュアル操作部，炊飯条件設定部，予約設定部を設けている。予約設定部には土曜日から日曜日までを表示するＬＥＤ表示機能付きの曜日設定手段を設け、選択曜日をＬＥＤで点灯表示するようしている。また、現在時刻，累計釜数，予定釜数を表示するＬＥＤ表示機能付きの時刻釜数表示手段を設けている。また、米の補給から炊飯完了，点火のいずれであるかを表示するＬＥＤ表示機能付きの工程表示部を設けている。マニュアル設定部には時計スイッチ，テストスイッチ，計量スイッチ，洗米スイッチなどのスイッチ類を設けている。
【００２０】
次に、洗米炊飯機１の作用の概要について説明する。
作業者による炊飯設定作業が終了し、スタートスイッチがＯＮされると、炊飯設定内容に基づきコントローラ（図示省略）の指令に基づき炊飯作業が開始される。まず、供給モータにより貯米部２の供給円筒が設定回転数回転し米が繰り出され、設定回転数に到達すると停止し米供給作業は終了する。次いで、給水源から水が給水管１６に流れ洗米タンク１１の下部から給水され、撹拌羽根５０が回転し米及び水が撹拌され洗米される。
【００２１】
次いで、所定時間の洗米作業が終了すると水加減が実行され、投下モータ５２の駆動により投下弁２２が下方へ移動し洗米タンク１１の底部が開口し、シャッタ５５が開いて米投入孔５７が開口することで、米および水が炊飯機４に投下供給される。次いで、炊飯機４の加熱手段が加熱を開始し炊飯が開始され、所定時間の炊飯時間が終了すると加熱を停止し炊飯作業は終了する。
【００２２】
次に、図４に基づき洗米タンク１１の下部の遮熱構成について説明する。
洗米タンク１１を上部の円筒状タンク１１ａと下部の円錐状のホッパ部円錐状タンク１１ｂとで構成し、円錐状タンク１１ｂの下部外周全周から遮熱板３１を外周側に延出するように取り付けている。この遮熱板３１の内周側部を略水平状に、外周側部を外側ほど緩傾斜の上り傾斜状に構成し、遮熱板３１の外周縁部の径を洗米タンク１１の円筒上部１１ａの径と略同等に構成している。
【００２３】
前記構成によると、洗米タンク１１の下部が炊飯機４から立ち上がる蒸気に晒されるのを防止し、洗米タンク１１の下部内周面に米が付着するのを防止することができる。
なお、遮熱板３１の径の大きさを少なくとも円錐状タンク１１ｂの上下方向中間部の径よりも大径にすれば、十分な遮熱効果を得ることができる。このように構成すると、遮熱板３１の大きさを作業者の邪魔にならない大きさとしながら、炊飯機４から立ち上がる蒸気を洗米タンク１１の円錐状タンク１１ｂの下部から離れる方向に案内することができ遮熱効果を発揮することができる。
【００２４】
洗米タンク１１の下側端部にはジャケット１５を全周に突出するように取り付け、ジャケット１５には図１，図２に示すように下給水管１６の終端側，下空気供給管１８の終端側を取り付けている。ジャケット１５の上側面に遮熱板３１を着脱自在にボルト締結している。前記構成により、遮熱板３１の取り付け作業を容易にしながら洗米タンク１１の円錐状タンク１１ｂの下部を炊飯機４から立ち上がる蒸気に晒されるのを防止することができる。
【００２５】
次に、図５に基づき投下弁２２の上下調節構成について説明する。
洗米タンク１１内には投下軸２１回りに回転する拡散羽根５０を設け、投下軸２１の下端部に投下弁２２を取り付けている。投下軸２１上部の洗米タンク１１の上側端部から上方へ突出する部分にねじ部２１ａを構成すると共に、投下軸２１の上端部にはハンドル２３を取り付けている。投下軸２１のねじ部２１ａに支持筒２８の内周側のねじ部２８ａを螺合し、ねじ部２１ａに対して支持筒２８を上下調節可能に構成している。
【００２６】
洗米部３のフレーム部２４には上下動アーム２５の上端部を左右方向の軸２５ａで上下回動自在に軸支し、上下動アーム２５の下側部の嵌合支持部２５ａで支持筒２８の平面構成の左右側面を嵌合支持すると共に、嵌合支持部２５ａの長手方向に沿った支持溝に取付ボルト２６を支持している。
【００２７】
投下軸２１のねじ部２１ａの支持筒２８の上方にロックナット２７を螺合し、ねじ部２１ａの支持筒２８の下方に座金２９を螺合している。ハンドル２３により投下軸２１を鉛直軸回りに正，逆回転し投下軸２１に対して支持筒２８を上下調節し、ロックナット２７をねじ込み調節し、ロックナット２７の下側面と座金２９の上側面で支持筒２８の押圧支持し、投下軸２１に対する支持筒２８の調節位置を調節規制するようにしている。なお、上下動アーム２５の上方への回動を規制ボルト３０で調節規制するようにしている。
【００２８】
また、投下モータ５２により上下動アーム２５を上下動し投下軸２１，投下弁２２を上下動することにより洗米タンク１１の下部開口部を開閉し、洗米タンク１１内の米および水を炊飯機４に投下供給することができる。
【００２９】
前記構成によると、投下軸２１に対する支持筒２８の上下調節範囲を長くすることができ、投下弁２２のパッキンが圧縮変形しても十分に対応調節することができ、調節操作を容易にしながら投下弁２２の耐久性を高めることができる。
【００３０】
次に、図６に基づき洗米タンク１１の下部に取り付けるフィルタ４１の他の実施例について説明する。
洗米タンク１１の円錐状タンク１１ｂの下端外周部には、図６に示すように、米を通過させないで水を通過させる孔が多数形成されて且つ下側が小径の筒状のフィルタ４１を下側から中心を合わせて嵌合装着している。このフィルタ４１の下部外周部に位置決め用の例えば３枚の三角プレート４２，…を所定間隔毎に取り付けている。
【００３１】
円錐状タンク１１ｂの下部にフィルタ４１を合装着嵌した状態で、円錐状タンク１１ｂの下部にジャケット１５を取り付け、ジャケット１５の底部中心凹部にフィルタ４１の底部を支持すると、フィルタ４１の３枚の三角プレート４２，…の底面をジャケット１５の底面中心部を支持し鉛直方向の中心線が合致し、フィルタ４１のふらつきを防止し安定した状態で取り付けることができる。
【００３２】
なお、洗米タンク１１の円錐状タンク１１ｂの下端部にフィルタ４１を設けるにあたり、図６（Ｂ）に示すように、円錐状タンク１１ｂの下端部に多数の小孔４３，…を設け、円錐状タンク１１ｂの下部外周部に位置決め用の３枚の三角プレート４２，…取り付けるようにしてもよい。
【符号の説明】
【００３３】
１      洗米炊飯機
２      貯米部
３      洗米部
４      炊飯機
１１      洗米タンク
１１ａ    円筒状タンク
１１ｂ    円錐状タンク
１５      ジャケット部
１６      下給水管
１７      下空気供給管
３１      遮熱板
【図１】
2014226486.tif 000003
【図２】
2014226486.tif 000004
【図３】
2014226486.tif 000005
【図４】
2014226486.tif 000006
【図５】
2014226486.tif 000007
【図６】
2014226486.tif 000008